(57)【要約】      （修正有）【課題】搬送前後の硬貨の間隔を、常に一定に保持する。【解決手段】筐体から突出するように設けた硬貨受け皿２を、投入された複数枚の硬貨が奥側の中央部に集中移動するように傾斜させると共に、該奥側幅を最大径硬貨の直径より僅かに大に形成して投入された硬貨の移動が１枚ずつとなるようにし、該中央部に筐体と連接する搬送通路３を設け、その搬送端部に該搬送路に延出された搬入出板７とバランス板８により重量バランスをとった状態で硬貨Ｋａの進入を許容すると共に、該硬貨が該搬入出板上に載置されると、該硬貨Ｋａの重量により重量バランスが崩れて回動して停止用突起９を該搬送通路に突出させて後続の硬貨Ｋｂの進行を妨げる間隔保持部材４を設ける。【選択図】図５
2012160065.tif 000002
【特許請求の範囲】
【請求項１】
硬貨の重さにより動作し、前記硬貨が通路中の限定領域に存在する場合に、後続の硬貨の進行を妨げる間隔保持部材を備えた
ことを特徴とする硬貨入金装置。
【請求項２】
入金する硬貨を受ける硬貨受け部と、
この硬貨受け部に連設され、硬貨受け部に受け入れた硬貨を順次、１枚ずつ搬送する搬送通路と、
この搬送通路の端部に対向して設けられ、搬送してきた１枚の硬貨が載ったとき所定方向へ回動して、その硬貨を入金処理すべき部位に搬出するとともに、次位に搬送してきた硬貨を停止する間隔保持部材と、を具備し、
前記間隔保持部材は、先の硬貨を搬出したあとで反所定方向に回動復帰し、停止している次位の硬貨を搬出位置へ移動させる
ことを特徴とする硬貨入金装置。
【請求項３】
前記間隔保持部材は、
前記搬送通路の端部に対向し、この搬送方向とは直交する方向に沿って設けられる回動自在な回動支軸と、
この回動支軸に基端部が設けられ、先端部は前記搬送通路の搬送先方向へ延出されて、搬送通路に搬送してきた１枚の硬貨を載置可能な搬入出板と、
前記回動支軸に基端部が設けられ、前記搬入出板に硬貨が載らない状態で搬入出板とと重量バランスを取るよう、搬入出板とは反対方向へ延出され、搬入出板に硬貨が載った状態で重量バランスが崩れて搬入出板から硬貨を搬出させるバランス板と、
前記回動支軸に沿って設けられ、前記搬入出板に硬貨が載らない状態で前記搬送通路端部から没入して硬貨の通過を許容し、搬入出板に硬貨が載った状態で搬送通路端部に突出して次位の硬貨の搬入を停止する停止用突起とを具備する
ことを特徴とする請求項２記載の硬貨入金装置。
【請求項４】
前記間隔保持部材を構成する前記バランス板は、前記搬入出板が所定方向に回動した状態で前記硬貨受け部と前記搬送通路との間に突出し、硬貨受け部から搬送通路への硬貨の押し込み操作を規制するストッパ部を備えた
ことを特徴とする請求項項３記載の硬貨入金装置。
【請求項５】
前記間隔保持部材を構成する前記搬入出板は、前記停止用突起を通過して搬入出板に搬入してきた硬貨を、さらに一時停止させる補助段部を備えるとともに、この補助段部に一時停止する硬貨に対して開口する突き上げ用開口部を備え、
前記間隔保持部材の近傍部位に、前記搬入出板がさらに所定方向に回動した状態で前記突き上げ用開口部に挿入し、前記補助段部に一時停止させた硬貨を搬入出板から突き落とす突き上げ部材を備えた
ことを特徴とする請求項３記載の硬貨入金装置。
【請求項６】
前記間隔保持部材において、前記停止用突起から前記搬入出板の一時停止用の前記補助段部までの距離は、前記補助段部に最小径硬貨を一時停止させた状態で、次位の硬貨が最大径硬貨であるとき、その最大径硬貨が停止用突起に載らない寸法に設定される
ことを特徴とする請求項５記載の硬貨入金装置。
【発明の詳細な説明】
【技術分野】
【０００１】
本発明の実施態様は、硬貨入金装置に関する。
【背景技術】
【０００２】
近年、スーパーマーケットやコンビニエンスストアなどに備えられるセルフチェックアウト用のＰＯＳ（販売時点情報管理）端末として、支払いの際に硬貨の入金を扱う硬貨入金装置が用いられる。この硬貨入金装置には、入金した硬貨の、たとえば金種や正貨偽貨を判別する機能を備えた硬貨セレクタが設けられ、入金処理する。  
また、硬貨入金装置の硬貨受け部として、順次、硬貨を１枚ずつ投入する投入口を備えたタイプがある。
【先行技術文献】
【特許文献】
【０００３】
【特許文献１】実用新案登録第３０４０６９２号公報
【発明の概要】
【発明が解決しようとする課題】
【０００４】
この投入口タイプでは、投入された硬貨は順次、１枚ずつ自重によって傾斜した搬送通路を滑走するようになっている。そして、搬送通路から硬貨セレクタ等の入金処理部へ搬出され、所定の処理が行われる。
【０００５】
この処理にはある程度の時間がかかり、先に投入した硬貨に対する処理が完全終了し、ここから排出した後に、次位の硬貨を入金処理部に搬入する必要がある。搬送通路から硬貨が基準値よりも間隔を詰めて搬入してきた場合は、入金処理に必要な時間を確保することができない。
【０００６】
このような事情から、搬送前後の硬貨の間隔を常に一定に保持できるようにした硬貨入金装置が望まれていた。
【課題を解決するための手段】
【０００７】
上述した課題を解決するため本実施形態では、硬貨の重さにより動作し、前記硬貨が通路中の限定領域に存在する場合に、後続の硬貨の進行を妨げる間隔保持部材を備えた。
【図面の簡単な説明】
【０００８】
【図１】第１の実施形態に係る、硬貨入金装置における要部の外観斜視図。
【図２】第１の実施形態に係る、硬貨入金装置における要部の断面図と、その一部を拡大した図。
【図３】第１の実施形態に係る、図２と同一要部の断面図で、硬貨の受け入れ状態を説明する図。
【図４】第１の実施形態に係る、図２と同一要部の断面図で、図３とは異なる硬貨の受け入れ状態を説明する図。
【図５】第１の実施形態に係る、図２と同一要部の断面図で、図４とは異なる硬貨の受け入れ状態を説明する図と、その一部を拡大した図。
【図６】第２の実施形態に係る、硬貨入金装置における要部の外観斜視図。
【図７】第２の実施形態に係る、図６と同一要部の断面図。
【図８】第３の実施形態に係る、硬貨入金装置における要部の断面図で、硬貨の受け入れ状態を説明する図。
【図９】第３の実施形態に係る、図８と同一要部の断面図で、図８とは異なる硬貨の受け入れ状態を説明する図。
【発明を実施するための形態】
【０００９】
以下、本実施形態の硬貨入金装置を図面にもとづいて説明する。  
ここで説明する硬貨入金装置は、たとえばセルフチェックアウト用のＰＯＳ（販売時点情報管理）端末として、硬貨の出金を取り扱う硬貨出金装置とともに備えられるものである。ただし、これに限定されるものではなく、自動販売機や、自動券売機など、硬貨投入を必要とする機器の全てに用いることができる。
【００１０】
図１は、第１の実施形態に係る、硬貨入金装置の要部の外観斜視図である。  
硬貨入金装置における筐体１の前面で、かつ顧客が手で操作を容易に行える高さ部位に硬貨受け部２が突設される。この硬貨受け部２は、筐体１から突出するとともに、凹陥した受け皿状に形成されているので、以下、硬貨受け部を「硬貨受け皿２」と呼ぶ。
【００１１】
前記硬貨受け皿２は、手で掴んだ複数枚の硬貨を一度に投入載置できるよう、手前側が比較的広い開口をなす。そして、奥方へ向かって幅が狭まるとともに、下方に二段で傾斜する底面をなす。したがって、複数枚の硬貨を一度に硬貨受け皿２に散布状態で投入載置したところで、全ての硬貨は奥方の中央部に向かって集中するよう移動する。
【００１２】
硬貨受け皿２の最も奥側の端部で、この中央部には、左右幅方向寸法が本装置に許容される硬貨のうちの最大径硬貨（たとえば、５００円硬貨）の直径よりもわずかに大であり、かつ最小径硬貨（たとえば、１円硬貨）が２枚左右に並んだ幅よりも狭い寸法に形成される。そのため、硬貨は１枚ずつ硬貨受け皿２から筐体１内へ送られることとなる。
【００１３】
このような硬貨受け皿２の奥側端部に、搬送通路３が連設される。搬送通路３の通路面（底面）は、硬貨受け皿２の傾斜した底面の延長となるよう、同一平面で、かつ同一角度で傾斜している。また、搬送通路３の両側壁は硬貨受け皿３の最も奥側端部における両側壁の延長をなし、上面が開放される。
【００１４】
搬送通路３の左右幅方向寸法は、硬貨受け皿２の最も奥側端部と同様、左右幅方向が最大径硬貨の直径よりもわずかに広く、かつ最小径硬貨が２枚左右に並んだ幅よりもわずかに狭い。そして搬送長さである奥行き寸法は、最大径硬貨の直径よりもわずかに大に形成される。
【００１５】
したがって、顧客が硬貨を１枚ずつ硬貨受け皿２に対して順に投入載置すれば、それぞれの硬貨は順に硬貨受け皿２の底面の傾斜に沿って自重で滑り落ち、さらに奥側の端部から搬送通路３に導かれ、ここを順に滑り落ちる。
【００１６】
また、顧客が複数枚の硬貨を一度に硬貨受け皿２に投入載置しても、すなわち左右に幅広く散乱した状態で投入載置しても、それぞれの硬貨は順に硬貨受け皿２の底面の傾斜に沿って自重で滑り落ち、さらに１枚ずつ奥側の端部に集中して、ここから搬送通路３に導かれ、順に１枚ずつ滑り落ちる。
【００１７】
特に図示していないが、搬送通路３の通路面の上方部位に二枚取り防止用突片を設けると良い。この二枚取り防止用突片の下端縁と搬送通路３の通路面との間隙を、最大厚硬貨の板厚よりもわずかに大きく、最小厚硬貨が２枚重なった板厚よりも小さく設定すれば、２枚重なった状態で硬貨が滑り落ちてきたとしても１枚の硬貨のみを通過させ得る。
【００１８】
前記搬送通路３の搬送端部に対向して、間隔保持部材４が設けられる。以下、間隔保持部材４について詳述する。  
図２（Ａ）は図１のＡ−Ａ線に沿う硬貨入金装置要部の断面図、図２（Ｂ）は要部の一部をさらに拡大した図である。
【００１９】
前記間隔保持部材４は、搬送通路３の端部に対向し硬貨の筐体１内への搬送方向とは直交する方向に沿って設けられる回動支軸５を備えている。回動支軸５の両側端部は、搬送通路３の両側壁に設けられる軸受具６に枢支され、回動自在である。ここでは回動支軸５に駆動源および駆動機構等、何ら連結されておらず、きわめて簡素な構成となっている。
【００２０】
この回動支軸５に、搬入出板７と、バランス板８と、停止用突起９およびストッパ杆部１０が一体に設けられていて、これらで間隔保持部材４が構成される。  
前記搬入出板７は、その基端部が回動支軸５に設けられ、先端部は前記搬送通路３の搬送先方向へ延出する板体である。搬入出板７の左右幅方向寸法は、搬送通路３の左右幅方向寸法と略同一、もしくはこれよりわずかに狭く形成される。
【００２１】
また、搬入出板７の基端部から先端部までの長さ寸法は、最大径硬貨の直径と略同一、もしくはこれよりわずかに大に形成される。したがって、硬貨受け皿２から搬送通路３を介して滑り落ちてきた硬貨を、１枚ずつ、載置可能な面積形状である。
【００２２】
前記搬入出板７上に硬貨が存在しない状態で、図２（Ｂ）に拡大して示すように、搬入出板７の板面（上面）は搬送通路３の通路面の略延長上にあり、搬入出板７の板面は搬送通路３の通路面と略面一、もしくは落ち込んだ位置にある。したがって、搬送通路３から滑り落ちてきた硬貨は、搬入出板７上に導かれることになる。
【００２３】
一方、前記バランス板８の基端部は、搬入出板７と同様、前記回動支軸５に設けられているが、この先端部は搬入出板７と反対方向である、搬送通路３側へ延出する。そして、バランス板８は搬送通路３の下方部位に位置するよう、搬入出板７に対し適宜な角度で折曲形成される。
【００２４】
前記バランス板８は、左右幅方向寸法と基端部から先端部までの長さ寸法および厚さ寸法は適宜で良い。ただし、図２（Ａ）に示すように、搬入出板７上に硬貨が存在しない状態で、バランス板８は搬入出板７と重量バランスを取った姿勢となるような重量とする。
【００２５】
回動支軸５には、後述する停止用突起９とストッパ杆部１０が設けられているが、これらの重量を加味して、バランス板８の重量が設定される。具体的には、バランス板８と搬入出板７のそれぞれに重量負荷がかからない状態で、バランス板８と搬入出板７は略等しい重さ、もしくはバランス板８が搬入出板７よりも若干重い。
【００２６】
前記ストッパ杆部１０は、これら搬入出板７とバランス板８それぞれの基端部相互間に設けられ、回動支軸５から下方へ突出している。そして、ストッパ杆部１０は、筐体１の一部をなすストッパ用端部１１に当接し、間隔保持部材４が、それ以上、反時計回り方向に回動しないように規制する。
【００２７】
逆に、間隔保持部材４は、図２（Ａ）の位置から時計回り方向に回動すれば、ストッパ杆部１０がストッパ用端部１１から離反するので、この方向への回動は自由である。ただし、所定角度回動すれば、バランス板８が搬送通路３下部に当接して、それ以上の回動を規制する。
【００２８】
前記停止用突起９は、回動支軸５に沿って設けられていて、搬入出板７の基端部上面から搬送通路３に向かって面一に突出するとともに、この端部から垂直方向に落ち込んだ角部を言う。したがって、搬入出板７上に硬貨が存在しない状態で、図２（Ｂ）に示すように、搬入出板７は搬送通路３端部から没入する位置にある。
【００２９】
後述するように、搬入出板７に硬貨が載ることでバランス板８との重量バランスが崩れ、搬入出板７とバランス板８とが一体に時計回り方向に回動する。この状態になって、停止用突起９は搬送通路３端部よりも上方へ突出する。
【００３０】
このようにして構成される間隔保持部材４のわずか上方に、通過規制用内壁１２が設けられる。通過規制用内壁１２は、間隔保持部材４における搬入出板７の基端部から搬送方向へ所定距離存した位置において、搬送通路３の両側壁面を一体に延長した両側壁面部相互を連結して形成される。
【００３１】
通過規制用内壁１２の上端部は搬送通路３および硬貨受け皿２と同様、筐体１の段部面と一致する。通過規制用内壁１２の下端部は、図２（Ａ）に示すように搬入出板７上に硬貨が存在しない状態で、この板面とは最小厚硬貨の厚み以下の、狭小の間隙を存している。なお、停止用突起９の先端と通過規制用内壁１２の先端との間の距離は、本装置に許容される硬貨のうち、最大径の硬貨の半径よりも若干大きく設定される。
【００３２】
さらに、前記間隔保持部材４の搬出方向側に硬貨投入セレクタ部１３が設けられ、この下方部位には、硬貨セレクタと硬貨マニフォールドおよび硬貨収納庫（いずれも図示しない）が順次上下に亘って配置される。すなわち、間隔保持部材４の搬出方向側には受け入れた硬貨を入金処理する機能部材が備えられ、以上で硬貨入金装置が構成される。
【００３３】
つぎに、硬貨入金装置の作用について説明する。  
図３に示すように、顧客が硬貨受け皿２に複数枚の硬貨Ｋを一度に載置投入すると、それぞれの硬貨Ｋは硬貨受け皿２の傾斜底面に沿って滑走移動する。上述したような硬貨受け皿２の構造から、手前側に広く散乱した状態で投入しても、傾斜奥方端部では搬送通路３に向かって集中する。
【００３４】
硬貨Ｋは、順次１枚ずつ整理されて硬貨受け皿２から搬送通路３に導かれ、さらに滑走移動を継続する。ここに二枚取り防止用突片が設けられていれば、硬貨Ｋは重なることなく確実に１枚ずつ整理されて搬送通路３を移動する。
【００３５】
このとき前記間隔保持部材４は、間隔保持部材４を構成する搬入出板７がバランス板８と重量バランスを取り、搬入出板７の板面が搬送通路３の通路面と面一、もしくは通路面よりも落ち込んだ位置にあり、停止用突起９は搬送通路３通路面から没入した位置にある。ストッパ杆部１０はストッパ用端部１１に当接して、静止状態を保持する。
【００３６】
図４に示すように、硬貨受け皿２から搬送通路３に導かれた先頭の硬貨Ｋａが搬送通路３から出ることで、その硬貨Ｋａの一部は間隔保持部材４に載る。詳しくは、先頭の硬貨Ｋａが搬送通路３の通路面から没入する停止用突起９上を通過して搬入出板７の板面上に載った直後に、通過規制用内壁１２が硬貨Ｋａ先端を衝止し、進行を妨げる。
【００３７】
すなわち、先頭の硬貨Ｋａの一部が搬入出板７上に載った状態で停止することになり、搬入出板７に硬貨Ｋａの重量がかかる。それまでバランス板８と重量バランスを取っていた搬入出板７にとって、バランス板８との重量バランスが崩れる。搬入出板７側が重くなり、回動支軸５を中心に間隔保持部材４は時計回り方向に回動を開始する。
【００３８】
図５（Ａ）に示すように、間隔保持部材４の回動変位にともなって、搬入出板７の板面と通過規制用内壁１２の下端縁との間隔が拡大する。それまで通過規制用内壁１２に進行を妨げられていた先頭の硬貨Ｋａの通過が許容され、瞬時に搬入出板７を滑落して硬貨投入セレクタ部１３に導かれる。  
先頭の硬貨Ｋａは硬貨投入セレクタ部１３を介して硬貨セレクタに導かれ、ここで金種や正貨偽貨を判別される。そして、硬貨マニフォールドから硬貨収納庫に導かれ、収納される。すなわち、硬貨受け皿２に受けた硬貨Ｋの入金処理がなされる。
【００３９】
一方、前記間隔保持部材４が所定角度だけ回動変位すれば、バランス板８が搬送通路３の下面に当接し、それ以上の回動変位が規制される。同時に、それまで搬送通路３端部から没入して先頭の硬貨Ｋａの通過を許容していた停止用突起９が、図５（Ｂ）に示すように、搬送通路３端部上に突出し、搬送通路３端部を遮断する状態となる。
【００４０】
１枚ずつ搬送通路３に導かれる複数枚の硬貨Ｋにとって、通過規制用内壁１２が先頭の硬貨Ｋａを衝止し一旦停止状態となれば、後続する硬貨Ｋも一旦停止する。そして、先頭の硬貨Ｋａの搬送が許容されて搬入出板７から滑落すれば、後続の硬貨Ｋも同時に移動を開始する。
【００４１】
先頭の硬貨Ｋａの次に搬送される硬貨（次位の硬貨）Ｋｂが搬送通路３から出たところで、搬送通路３端部に突出する停止用突起９に衝止され、進行を妨げられる。そのため、次位の硬貨Ｋｂと、この次位の硬貨Ｋｂから後続する硬貨Ｋの搬送は、再び一時停止の状態となる。
【００４２】
一方、先頭の硬貨Ｋａが搬入出板７から硬貨投入セレクタ部１３へ滑落することで、搬入出板７に対する重量負荷が消滅する。停止用突起９は次位の硬貨Ｋｂを衝止しているが、停止用突起９は回動支軸５に沿って設けられているので、搬入出板７とバランス板８との重量バランスに対して影響を与えない。
【００４３】
再び搬入出板７とバランス板８との重量バランスが取れることとなり、間隔保持部材４は自然的に反時計回り方向に回動し、元の状態に戻る。再び図４に示すように、停止用突起９が搬送通路３の通路面から没入し、搬入出板７板面が搬送通路３の通路面と面一、もしくは落ち込んだ状態となったところで、間隔保持部材４の回動が規制され停止する。
【００４４】
次位の硬貨Ｋｂの移動が解除され、停止用突起９を越えて搬入出板７に載る。間隔保持部材４として元の姿勢に戻っているところから、通過規制用内壁１２は先頭の硬貨Ｋａのように、次位の硬貨Ｋｂを衝止し、進行を妨げる。この硬貨Ｋｂの一部が搬入出板７上に載って停止することになり、搬入出板７に硬貨Ｋｂの重量がかかる。
【００４５】
搬入出板７とバランス板８との重量バランスが再び崩れ、回動支軸５を中心に再び時計回り方向に回動する。通過規制用内壁１２よる規制が解除された次位の硬貨Ｋｂは硬貨投入セレクタ部１３へ滑落する。その一方で、さらに後続する次位の硬貨を停止用突起９が停止する。
【００４６】
これ以降は、全く同様の作用を繰り返す。結果として、複数枚の硬貨Ｋが一度に硬貨受け皿２に投入載置されても、硬貨Ｋは１枚ずつ搬送通路３と間隔保持部材４を介して硬貨投入セレクタ部１３から硬貨セレクタに導かれる。  
間隔保持部材４を備えたことにより、搬送前後の硬貨Ｋ相互の間隔は常に一定となり、硬貨セレクタにおける入金処理をなすのに充分な時間が確保される。すなわち、入金処理の信頼性向上を得られることとなる。
【００４７】
なお、上述の硬貨受け部として、複数枚の硬貨Ｋを一度に投入載置できる硬貨受け皿２を備えたが、これに限定されるものではなく、１枚の硬貨のみを挿入できる開口部（スリット）としての硬貨受け部であっても良い。  
この場合は、硬貨相互の間隔がある程度は確保されるが、それでも投入操作によっては間隔が詰まって、入金処理時間を確保することができない。そこで、上述したような搬送通路３および間隔保持部材４を必要とする。
【００４８】
図６は、第２の実施の形態としての硬貨入金装置要部の斜視図であり、図７は図６のＢ−Ｂ線に沿う断面図である。  
ここでは、間隔保持部材４Ａを構成する搬入出板７ａの先端部ａを基端部と比較して断面厚肉状とし、この重量を増す。その一方で、バランス板８の先端にストッパ片部８ａを一体に折曲形成し、かつ硬貨受け皿２と搬送通路３との境目に開口部１５を設ける。前記ストッパ片部８ａの重量は、搬入出板７ａ先端の厚肉部ａの重量と同一とする。
【００４９】
この間隔保持部材４Ａにおいても、先に説明した停止用突起９とストッパ杆部１０が設けられていることも変りがない。したがって、搬入出板７ａ上に硬貨が存在しない状態で、搬入出板７ａとバランス板８との重量バランスが取れている。このとき、ストッパ片部８ａの先端は前記開口部１５よりも下方にある。
【００５０】
図に示すように、搬入出板７ａに先頭の硬貨Ｋａが載り、搬入出板７ａとバランス板８との重量バランスが崩れると、間隔保持部材４Ａは時計回り方向に回動する。先端の硬貨Ｋａは、一旦、通過規制用内壁１２に移動を妨げられた後、継続して間隔保持部材４Ａが回動することで搬入出板７ａから硬貨投入セレクタ部１３へ搬出される。
【００５１】
次位の硬貨Ｋｂを停止用突起９が停止し、先頭の硬貨Ｋａとは間隔を保持することも同一である。この状態で、バランス板８に一体に設けられるストッパ片部８ａは開口部１５から突出して、搬送通路３上の次位の硬貨Ｋｂと、硬貨受け皿２の奥側端部上に位置する後続の硬貨Ｋｃとの間に介在する。
【００５２】
前記ストッパ片部８ａに、たとえば、交通標識にある「侵入禁止マーク」、もしくは絵文字（たとえばストップを意味する手のひらマーク）、もしくは注意書きを描いておけば、顧客は搬送通路３上の硬貨Ｋｂ、もしくは硬貨受け皿２上の硬貨Ｋｃを無理に押し込む操作を行わない。したがって、故障の要因を予め除去できる。
【００５３】
図８は、第３の実施の形態としての硬貨入金装置要部の断面図であり、図９は、図８とは動作の異なる状態の硬貨入金装置要部の断面図である。  
ここでは、基本的に、間隔保持部材４Ｂを、搬入出板７ｂと、バランス板８ｂと、停止用突起９およびストッパ杆部１０から構成することは変りがない。ただし、次位の硬貨Ｋｂが停止用突起９に到達する前に、間隔保持部材４Ｂをより深く傾けて、次位の硬貨Ｋｂに対する停止用突起９の影響をより大きくする手段を備えている。
【００５４】
なお説明すると、停止用突起９およびストッパ杆部１０は、先に説明したものと同一の寸法構造である。搬入出板７ｂは、回動支軸５に設けられる基端部から先端部への略中間部までは同一の寸法構造であるが、略中間部に補助段部ｂが設けられ、ここから先端部に亘って基端部から中間部までの板面よりも突出する。  
さらに、前記補助段部ｂから搬入出板７ｂの基端部方向に突き上げ用開口部１７が設けられる。これに対して筐体１の壁部に突き上げ部材１８が設けられていて、間隔保持部材４Ｂの回動姿勢によっては前記突き上げ用開口部１７に挿入自在である。
【００５５】
このような搬入出板７ｂに対して前記バランス板８ｂは、重量バランスを取ることから、搬入出板７ｂと対称的な寸法形状をなす。バランス板８ｂは、搬入出板７ｂに設けられる補助段部ｂと突き上げ用開口部１７と同一のものを備えているが、突き上げ用開口部１７と対向する突き上げ部材１８の存在は無い。
【００５６】
搬入出板７ｂに硬貨が載らず、搬入出板７ｂとバランス板８ｂとが重量バランスをとっている状態で、硬貨受け皿２から搬送通路３を介して導かれた先頭の硬貨Ｋａが、搬送通路３端部から没入する停止用突起９を越えて搬入出板７ｂ上に載る。さらに移動したところで、この硬貨Ｋａを通過規制用内壁１２が衝止し、一旦移動を規制する。
【００５７】
硬貨Ｋａは搬入出板７ｂに重量をかけることとなり、バランス板８ｂとの重量バランスが崩れて間隔保持部材４Ｂは時計回り方向に回動する。搬入出板７ｂと通過規制用内壁１２との間隔が開いて、硬貨Ｋａは移動を開始する。しかしながら、その硬貨Ｋａは新たに設けられる補助段部ｂに移動を再び規制される。
【００５８】
その一方で、次位の硬貨Ｋｂは間隔保持部材４Ｂに設けられる停止用突起９に移動を停止させられる。この状態を、図８に示している。先頭の硬貨Ｋａが搬入出板７ｂに載って、バランス板８ｂとの重量バランスが崩れていることは変りがないから、間隔保持部材４Ｂの時計回り方向の回動は継続する。
【００５９】
図９に示すように、さらに間隔保持部材４Ｂが回動すると、搬入出板７ｂの突き上げ用開口部１７に突き上げ部材１８が挿入する。そして、突き上げ部材１８は補助段部ｂに一時停止している硬貨Ｋａに当接し、その硬貨Ｋａを突き出す。硬貨Ｋａは補助段部ｂから突き落とされて硬貨投入セレクタ部１３へ滑落する。
【００６０】
搬入出板７ｂ上に硬貨Ｋａが存在しなくなることで、搬入出板７ｂとバランス板８ｂとの重量バランスが再び取れ、間隔保持部材４Ｂは反時計回り方向に回動する。搬入出板７ｂの板面が搬送通路３の通路面と面一、もしくは落ち込んだ元の状態に戻れば、停止用突起９が搬送通路３の端部から没入する。
【００６１】
したがって、それまで停止用突起９に停止させられていた次位の硬貨Ｋｂが移動する。再び図８の状態になり、重量バランスが崩れて間隔保持部材４Ｂが時計回り方向に回動し、図９の状態となる。これ以降は、上述の作用の繰り返しとなる。  
結局、第３の実施の形態では、硬貨が通過規制用内壁１２を越えた後も、補助段部ｂはその硬貨を一旦停止する。しかる後、間隔保持部材４Ｂの回動が継続して、その硬貨は硬貨セレクタに導かれる。したがって、先に説明した実施の形態の構造よりも、硬貨の入金処理部へ導かれる間隔がさらに拡大し、より確実な入金処理を行える。
【００６２】
なお、搬入出板７ｂの基端部から補助段部ｂまでの距離は、最大径硬貨の半径よりも大きく設定する必要がある。このことで、補助段部ｂは最大径硬貨であっても確実に移動を規制し、かつ突き上げ用開口部１７に突き上げ部材１８が挿入して、その硬貨を突き落とす。
【００６３】
そして、補助段部ｂに最小径硬貨が掛止され、次位の硬貨として最大径硬貨が続く状態で、前記停止用突起９上に最大径硬貨が載らない寸法に設定する必要がある。このことにより、次位の硬貨が最大径硬貨であっても、停止用突起９はその硬貨を確実に停止させることができる。
【００６４】
上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６５】
４…間隔保持部材、２…硬貨受け皿（硬貨受け部）、３…搬送通路、５…回動支軸、７…搬入出板、８…バランス板、９…停止用突起、８ａ…ストッパ部、ｂ…補助段部、１７…突き上げ用開口部、１８…突き上げ部材。
【図１】
2012160065.tif 000003
【図２】
2012160065.tif 000004
【図３】
2012160065.tif 000005
【図４】
2012160065.tif 000006
【図５】
2012160065.tif 000007
【図６】
2012160065.tif 000008
【図７】
2012160065.tif 000009
【図８】
2012160065.tif 000010
【図９】
2012160065.tif 000011